(57)【要約】      （修正有）【課題】芳香や虫よけの効果がなくなれば芳香成分や虫よけ成分を吸着させて使用する、芳香や虫よけなどの揮発性物質を長期に亘って効果的持続的に利用できる簡易セットを提供する。【解決手段】アルミ箔を積層した樹脂製フイルムを使用し、開口部にはポリエチレン製チャックを装備した気密性を有する袋容器に、薄膜のポリエチレン製フイルムで包装した芳香成分や虫よけ成分などの揮発性物質を含む薬液を含浸させたパルプ製チップと、一般成形用ミラブル型シリコーンゴム製の成形品とを同封密封し、前記一般成形用ミラブル型シリコーンゴム製の成形品に芳香成分や虫よけ成分などの揮発性物質を吸着さる。【選択図】図１
0003155415.tif 000002
【実用新案登録請求の範囲】
【請求項１】
アルミ箔を積層した樹脂製フイルムを使用し、開口部にはポリエチレン製チャックを装備した気密性を有する袋容器に、薄膜のポリエチレン製フイルムで包装した芳香成分や虫よけ成分などの揮発性物質を含む薬液を含浸させたパルプ製チップと、一般成形用ミラブル型シリコーンゴム製の成形品とを同封密封し、前記一般成形用ミラブル型シリコーンゴム製の成形品に芳香成分や虫よけ成分などの揮発性物質を吸着させて、前記一般成形用ミラブル型シリコーンゴム製の成形品を前記気密性を有する袋容器から取り出して、前記一般成形用ミラブル型シリコーンゴム製の成形品に吸着させた芳香成分や虫よけ成分などの揮発性物質を揮発放出させることを繰り返して使用し、芳香や虫よけなどの効果を長期間利用することを特徴とした揮発性物質の反復吸着用簡易セット。
【考案の詳細な説明】
【技術分野】
【０００１】  本考案は芳香成分や虫よけ成分などの揮発性物質を長時間に亘って、効果的に使用することに関する。
【背景技術】
【０００２】  現在、芳香成分や虫よけ成分などを揮発させて使用する場合、芳香や虫よけ成分を含む薬液を小瓶に詰めて、その小瓶から薬液を少しずつ取り出して所要箇所に塗布する方法やスプレー容器に詰めて噴霧状に所要部分に吹き付ける方法などで使われている。【０００３】  また、前記以外に芳香成分や虫よけ成分を含む薬液を含浸させた不織布や布などに粘着剤などを装備して、所要の箇所に貼り付けるなどの使用方法もある。【０００４】  しかしながら、芳香成分や虫よけ成分などが効果的に持続している時間は短く、数時間あるいは、長くても５〜６時間で芳香や虫よけ成分などが揮発消失して、芳香や虫よけの効果がなくなるので、長時間の芳香や虫よけなどの効果を期待することができなかった。【０００５】  また、皮膚や衣服類に芳香成分や虫よけ成分の薬液が塗布あるいは付着した場合、揮発しなかった残留物を洗浄除去する必要が生じ、また、それ以外に衣服類などに付着した残留物が除去できなくて、シミになるなどの欠点があった。
【考案の開示】
【考案が解決しようとする課題】
【０００６】  本考案は、一般成形用ミラブル型シリコーンゴム（以後ミラブル型シリコーンゴムと称す）が芳香成分や虫よけ成分などの揮発性物質を吸着し、また吸着した揮発性物質を揮発放出するなどを繰り返す性質があることに着目して、例えば、手首などに装着できる様にリング状に成形したミラブル型シリコーンゴムに芳香や虫よけ成分を吸着させて使用すれば効果的な芳香や虫よけに利用できると考えて本考案に至った。【０００７】  詳しくは、本考案で使用するミラブル型シリコーンゴムは、高濃度の芳香成分や虫よけ成分などの揮発性物質が存在する雰囲気内では、芳香成分や虫よけ成分の揮発性物質を吸着し、空気中に放置すれば吸着した芳香成分や虫よけ成分などの揮発性物質を大気中に揮発放出し、吸着した芳香成分や虫よけ成分の揮発性物質がなくなり、また高濃度の芳香成分や虫よけ成分などの揮発性物質が存在する雰囲気内に戻すと吸着するなどの揮発性物質の吸着、揮発放出を繰り返す特性があることが確認できた。【０００８】  以上のことから、本考案はミラブル型シリコーンゴムの芳香成分や虫よけ成分の揮発性物質を吸着、揮発放出の繰り返す特性を利用して、芳香や虫よけの効果がなくなれば芳香成分や虫よけ成分を吸着させて使用するなど、ミラブル型シリコーンゴムを介して芳香や虫よけなどの揮発性物質を長期に亘って効果的持続的に利用できる簡易セットを提供する。
【課題を解決するための手段】
【０００９】  本考案を実施するにおいて、アルミ箔を積層した総厚５０μの樹脂フイルムで製作した気密性の高い袋容器を用意し、前記袋容器の中に、ポリエチレン製フイルムで包装した芳香成分や虫よけ成分を含む薬液を含浸させたパルプ製チップを封入して、前記袋容器の中を芳香成分や虫よけ成分などの揮発性物質を充満させることにより、高濃度の芳香成分や虫よけ成分が存在する雰囲気条件を得るようにする。【００１０】  また、本考案のミラブル型シリコーンゴム製の成形品（例えば手首や足首などに装着できるリングあるいは花瓶の敷物シートなど）を芳香成分や虫よけ成分を充満させた前記気密性の高い袋容器の中に封入して、前記ミラブル型シリコーンゴム製の成形品に芳香成分や虫よけ成分の揮発性物質を吸着させて芳香や虫よけの効果を得るものである。【００１１】  本考案のアルミ箔を積層した総厚５０μの樹脂フイルムで製作した気密性の高い袋容器の開口部にはポリエチレン製チャックを取り付けて、前記ミラブル型シリコーンゴム製の成形品の出し入れを容易にすると、同時に、袋容器内部の気密性を保持し芳香成分や虫よけ成分などの揮発性物質を袋容器からの流出を防止するように配慮している。【００１２】  本考案において使用する芳香成分や虫よけ成分を含む薬液を含浸させたパルプ製チップは、厚み２０μの薄膜ポリエチレン製フイルムで包装して、芳香成分や虫よけ成分の揮発性物質が前記ポリエチレン製フイルム面から徐々に染み出すように工夫をしており、それぞれの揮発性物質を有効且つ長期的に使えるように考慮している。【００１３】  本考案は揮発性物質を吸着、揮発放出の特性を持つミラブル型シリコーンゴム製の成形品と、気密性の高いアルミ箔積層の総厚５０μの樹脂フイルムの袋容器と、芳香成分や虫よけ成分などの揮発性物質の薬液を含浸させたパルプ製チップから徐々に芳香成分や虫よけ成分が染み出すように薄膜ポリエチレン製フイルムで包装したパルプ製チップとの３点が組み合わさった状態で使用する揮発性物質の反復吸着用簡易セットである。【００１４】  本考案の前記揮発性物質の反復吸着用簡易セットに使用するミラブル型シリコーンゴム製の成形品は手首や足首などに装着できるようなリング形状や花瓶の下に敷く丸型あるいは正方形のシートなど、いろいろな形状を選択することが可能であり、身体の一部に装着して蚊などを寄せ付けないようにするなど、また、花瓶などの敷物に使用して部屋の中でいろいろな香りを楽しむなどが長時間に亘って可能である。【００１５】  本考案の前記揮発性物質の反復吸着用簡易セットの揮発性物質を含む薬液はエッセンシャルオイルとしてユーカリレモン、ローズ、ペパーミント、ラベンダーなどが考えられる。また、前記エッセンシャルオイルを含浸させる基材としてはパルプ製チップ以外にフェルト、不織布などがあるが、揮発性物質を徐々に染み出させる目的で、厚さ２０μの薄膜のポリエチレン製フイルムで薬液を含浸させた基材などを包装することが望ましい。
【考案の効果】
【００１６】  一般的には、芳香剤や虫よけ剤などは揮発性物質を空気中に発散させて、効果を得るものであるが、それらの有効成分が所要の箇所で持続して長期に亘って効能を持続させることは困難であり、各種の方法が試みられている。【００１７】  本考案においては有効成分である揮発性物質を気密性の高い袋容器に閉じ込めて、ミラブル型シリコーンゴム製の成形品に揮発性の有効成分を吸着させてから、所要箇所において随時に揮発性の有効成分を揮発放出させるので、芳香や虫よけなどの有効成分を無駄なく利用することが可能である。【００１８】  また、本考案の揮発性物質の反復吸着用簡易セットはミラブル型シリコーンゴムの成形品を複数個用意して、前記成形品を交互に気密性の高い袋容器内で揮発性物質を吸着させて、使用することにより、連続して揮発性物質の有効成分の効果を得ることが可能となり、長時間に亘って、初期レベルの有効成分の効果を維持しながら使用することができる。【００１９】  さらに、本考案の揮発性物質の反復吸着用簡易セットは総厚５０μの薄いアルミ箔積層の樹脂フイルムの袋容器であるので、前記袋容器は薄くて軽量であり、カバンやバッグなどの片隅に入れて持ち歩きが可能で、外出での必要時いつでも随時に使用することができる。また、カバンやバッグに入れて置いても揮発性物質の有効成分は気密性の高い袋容器のため不必要に漏れ出すことはなく、重宝なものとして使用できる。
【考案を実施するための最良の形態】
【００２０】  本考案の揮発性物質の有効成分の反復吸着用簡易セットを実施するための最良の形態は２つの実施例により説明をする。
【実施例１】
【００２１】  本考案を実施するために、手首もしくは足首に装着できるように内径６５ｍｍ厚み２ｍｍ幅１０ｍｍのリング状に成形したミラブル型シリコーンゴム製の成形品１を用意した。また、前記リング状成形品１には装飾を兼ねて緑色に着色したものを使用した。【００２２】  また、本考案を実施するために、ポリエステルフイルム・アルミ箔・ポリエチレン塗工膜の３層構成からなる総厚５０μの複合構成フイルムで、縦１６０ｍｍ×横１００ｍｍ寸法の平袋４を作製し、開口部には袋内部の気密性を保持する目的と中身の出し入れを容易にする目的でポリエチレン製チャック５を装着したものを使用した。【００２３】  さらに、本考案を実施するために、虫よけ用薬液としてレモンユーカリオイルを使用し、寸法３０ｍｍ正方形、厚み２ｍｍのパルプ製チップ２にレモンユーカリオイルを充分含浸させて、２０μ厚さポリエチレン製フイルム３で前記パルプ製チップ２を包装して使用した。【００２４】  前記縦１６０ｍｍ×横１００ｍｍ寸法の平袋４に、前記ポリエチレン製フイルムで包装した前記レモンユーカリオイル含浸のパルプ製チップ２と、前記内径６５ｍｍ厚さ２ｍｍ幅１０ｍｍのミラブル型シリコーンゴム製のリング状成形品１とを入れて、前記平袋４の開口部に装備したポリエチレン製チャック５を閉じて密封し、前記ミラブル型シリコーンゴム製のリング状成形品１にレモンユーカリの成分を吸着させるべく約５時間放置した。【００２５】  その後、前記縦１６０ｍｍ×横１００ｍｍ寸法の平袋４から前記ミラブル型シリコーンゴム製のリング状成形品１を取り出したところかなり強いレモンユーカリの臭気が確認できた。また、前記リング状の成形品１を手首に装着して２時間後、５時間後、８時間後の経過を確認したところ５時間後まではかなり強いレモンユーカリの臭気を持続していたが８時間後ではレモンユーカリの臭気が弱くなっていた。【００２６】  引き続づいて、前記レモンユーカリの臭気が、弱くなった前記リング状成形品１を前記縦１６０×横１００ｍｍ寸法の平袋５に再び入れて、密封し、約５時間放置して取り出したところかなり強いレモンユーカリの臭気が認められ、レモンユーカリオイル含浸のパルプ製チップ２も取り替えることなく数回繰り返し使用できることも確認することができた。
【実施例２】
【００２７】  本考案を実施するために、花瓶とか置物の下に敷くことができるように１００ｍｍ正方形厚み２ｍｍのシート状に成形したミラブル型シリコーンゴム製の成形品６を用意した。また、前記シート状の成形品６には装飾を兼ねてピンク色に着色したものを使用した。【００２８】  また、本考案を実施するために、ポリエステルフイルム・アルミ箔・ポリエチレン塗工膜の３層構成からなる総厚５０μの複合構成フイルムで縦１８０ｍｍ×横１２０ｍｍの寸法の平袋９を作製し、開口部には袋内部の気密性を保持する目的と中身の出し入れを容易にする目的でポリエチレン製チャック１０を装着したものを使用した。【００２９】  さらに、本考案を実施するために、芳香用薬液としてローズオイルを使用し、寸法３０ｍｍ正方形厚み２ｍｍ寸法のパルプ製チップ７にローズオイルを充分含浸させて、２０μ厚さのポリエチレン製フイルム８で前記パルプ製チップ７を包装して使用した。【００３０】  前記縦１８０ｍｍ×横１２０ｍｍ寸法の平袋９に、前記ポリエチレン製フイルム８で包装した前記ローズオイル含浸のパルプ製チップ７と、前記１００ｍｍ正方形厚み２ｍｍ寸法のミラブル型シリコーンゴム製のシート状成形品６とを入れて、前記平袋９に装備したポリエチレン製チャック１０を閉じて密封し、前記ミラブル型シリコーンゴム製のシート状成形品６にローズの芳香成分を吸着させるべく約５時間放置した。【００３１】  その後、前記縦１８０ｍｍ×横１２０ｍｍの平袋９から前記ミラブル型シリコーンゴム製のシート状成形品６を取り出したところかなり強いローズの芳香が確認できた。また、前記シート状成形品６を部屋に飾ってあった造花の薔薇を生けた花瓶の下に敷いて、２時間後、５時間後、８時間後の経過を確認したところ５時間後まではかなり強いローズの芳香を持続していたが８時間後ではローズの芳香が弱くなっていた。【００３２】  引き続いて、前記ローズの芳香が弱くなった前記シート状成形品６を前記平袋９に、再び入れて密封し、約５時間放置して取り出したところかなり強いローズの芳香を確認することができて、ローズオイル含浸のパルプ製チップ７を取り替えることもなく、繰り返し使用できることも確認することができた。
【図面の簡単な説明】
【００３３】
【図１】  本考案の揮発性物質の反復吸着用簡易セットを示すもので、気密性のある平袋４にミラブル型シリコーンゴム製のリング状成形品１と揮発性物質の薬液を含浸させたパルプ製チップ２とを密封した状況を示す斜視見取図
【図２】  ミラブル型シリコーンゴム製のリング状の成形品１の斜視見取図
【図３】  ポリエチレン製フイルム３で包装した虫よけ成分（レモンユーカリ）の揮発性物質の薬液を含浸させたパルプ製チップ２の斜視見取図
【図４】  本考案の揮発性物質の反復吸着用簡易セットを示すもので、気密性のある平袋９にミラブル型シリコーンゴム製のシート状成形品６と揮発性物質の薬液を含浸させたパルプ製チップ７とを密封した状況を示す斜視見取図
【図５】  ミラブル型シリコーンゴム製のシート状成形品６の斜視見取図
【図６】  ポリエチレン製フイルム８で包装した芳香成分（ローズオイル）の揮発性物質の薬液を含浸させたパルプ製チップ７の斜視見取図
【符号の説明】
【００３４】  １  ミラブル型シリコーンゴム製のリング状成形品
２  虫よけ成分（レモンユーカリ）の揮発性物質を含む薬液を含浸したパルプ製チップ
３  パルプ製チップ２を包装するポリエチレン製フイルム
４  気密性を持たせたアルミ箔積層の複合フイルムで作製した平袋
５  ポリエチレン製チャック（平袋４の開口部）
６  ミラブル型シリコーンゴム製のシート状の成形品
７  芳香成分（ローズオイル）の揮発性物質を含む薬液を含浸したパルプ製チップ
８  パルプ製チップ７を包装するポリエチレン製フイルム
９  気密性を持たせたアルミ箔積層の複合フイルムで作製した平袋
１０  ポリエチレン製チャック（平袋９の開口部）
【図１】
0003155415.tif 000003
【図２】
0003155415.tif 000004
【図３】
0003155415.tif 000005
【図４】
0003155415.tif 000006
【図５】
0003155415.tif 000007
【図６】
0003155415.tif 000008